(57)【特許請求の範囲】
【請求項１】
回転ドラム上に隣接して配置される第１及び第２の磁気ヘッドを用いて、磁気テープ上に第１及び第２の傾斜トラックを同時に形成しながらディジタルデータを記録するディジタル信号記録装置であり、
前記ディジタルデータを記録するための記録クロックからｎ分周（ｎは２以上の整数）したｎ分周クロックを生成するｎ分周クロック出力手段と、
前記回転ドラムの回転位相に同期したパルスと、記録データと、前記ｎ分周クロック出力手段からのｎ分周クロックとが入力され、前記記録データを前記ｎ分周クロックで信号処理して出力するデータ処理手段と、
前記回転ドラムの回転位相に同期したパルスと前記ｎ分周クロックとが入力され、前記パルスの入力タイミングと前記ｎ分周クロックの切り替わりタイミングとのタイミング差に応じた遅延量を決定して出力する遅延量決定手段と、
前記遅延量決定手段で決定した前記遅延量に応じた遅延を前記記録データに施す遅延手段とを備える記録系回路を前記第１及び第２の磁気ヘッドに対して夫々設け、
前記記録クロック及び前記ｎ分周クロックは前記第１及び第２の磁気ヘッド夫々の記録系回路で共用され、
前記夫々の記録系回路の前記遅延手段の出力する記録データを、前記第１及び第２のトラックが互いに異なるアジマスとなるよう前記第１及び第２の磁気ヘッドを用いて前記第１及び第２のトラックを同時に形成しながら記録することを特徴とするディジタル信号記録装置。
【請求項２】
前記遅延量決定手段は、前記回転ドラムの回転位相に同期したパルスのタイミングから前記第１の磁気ヘッドによる記録開始タイミングまでの第１の時間と、前記回転ドラムの回転位相に同期したパルスのタイミングから前記第２の磁気ヘッドによる記録開始タイミングまでの第２の時間とが、前記記録クロックの１クロックに相当する時間を誤差分として夫々一定となるよう前記遅延量を決定することを特徴とする請求項１記載のディジタル信号記録装置。
【発明の詳細な説明】
【０００１】
【発明の属する技術分野】
本発明は、隣接する複数の磁気ヘッドにより構成されるペアヘッドを用いてディジタル映像信号などのディジタルデータを磁気テープ上に記録するディジタル信号記録装置に関する。
【０００２】
【従来の技術】
回転ドラム上に隣接して配置される複数の磁気ヘッドを用いて、磁気テープ上に複数のトラックを同時に形成しながらディジタルデータを記録する方法が知られている。特開平１１−１３４７４２号公報には、このようにして磁気テープ上に記録したディジタルデータを再生する際に、ペアヘッドを成す２つの磁気ヘッドにおける基準信号の再生タイミングの差により高速でトラッキング制御を行う技術が示されている。
【０００３】
図４は、このようなトラッキング制御の原理を説明するための図であり、同図（ａ）はペアヘッドを成す２つの磁気ヘッドである＋アジマスヘッド及び−アジマスヘッドが夫々＋アジマストラック及び−アジマストラックを正確にトレースしている状態、同図（ｂ）及び（ｃ）は＋アジマスヘッド及び−アジマスヘッドに夫々トレーズずれ、つまりトラッキングずれが生じている状態を示す図である。
【０００４】
通常、隣接する２つのトラック間では、同図に示す如く磁気ヘッドのヘッドギャップをヘッドトレース方向と直交する方向に対して夫々＋方向及び−方向に所定の角度だけずらし、隣接トラック間でアジマス方向が異なるようなアジマス記録を行っている。
【０００５】
ここで示すトラッキング制御は、このように隣接トラック間でアジマス記録を行った磁気テープから信号を再生する際に、トラッキングのずれ量に応じて基準信号の再生タイミングが＋アジマスヘッドと−アジマスヘッドとの間で変化することを利用したものであり、図４（ａ）に示す如く＋アジマスヘッド及び−アジマスヘッドが夫々＋アジマストラック及び−アジマストラックを正確にトレースしていれば、＋アジマストラック及び−アジマストラックの基準信号が夫々＋アジマスヘッド及び−アジマスヘッドにより同一のタイミングで再生される。
【０００６】
これに対し、同図４（ｂ）に示す如くトレースずれが生じている場合には、−アジマストラックの基準信号が再生された後に＋アジマストラックの基準信号が再生され、また、同図４（ｃ）に示す如くトレースずれが生じている場合には、＋アジマストラックの基準信号が再生された後に、−アジマストラックの基準信号が再生されることになる。
【０００７】
従って、基準信号がペアヘッドを成す磁気ヘッドの何れの磁気ヘッドから先に再生されたかという事と、一方の磁気ヘッドにより基準信号が再生されてから他方磁気ヘッドにより基準信号が再生されるまでの時間をカウンタ等でカウントすることによりトラッキング補正量を直接的に得ることが可能となり、高速なトラッキング制御を行うことができる。
【０００８】
なお、実際には各トラックは傾斜して形成されるため、図５に示す如く、ペアヘッドを成す＋アジマスヘッドと−アジマスヘッドとの間でトラック形成タイミングにずれが生じており、＋アジマストラックの再生を開始した後に、−アジマストラックの再生を開始する場合には、＋アジマスヘッド及び−アジマスヘッドが夫々＋アジマストラック及び−アジマストラックを正確にトレースしていても、基準信号の再生タイミングにずれが生じるが、このような場合には、＋アジマスヘッドにより基準信号が再生されてから−アジマスヘッドにより基準信号が再生されるまでの時間が＋アジマスヘッドと−アジマスヘッドとの間のトラック形成タイミングのずれ量に一致するようトラッキング制御していることは言うまでもない。
【０００９】
ところが、以上に示すトラッキング制御方法は、基準信号の再生タイミングを用いてトラッキング制御を行うため、基準信号の記録位置にずれが生じている場合には、正確なトラッキング制御を行うことができない。
【００１０】
図６は、ペアヘッドを用いてディジタルデータを記録する従来のディジタル信号記録装置の構成を説明するための図であり、図７は、その記録動作を示す図である。なお、図６には、回転ヘッド上に搭載されるペアヘッドにおける１つの磁気ヘッドの記録系のみが示してあり、隣接する２つの磁気ヘッドによりペアヘッドが構成される場合には、同図に示す構成が２つ存在する。ここでは、このようなペアヘッドが回転ドラム上に略１８０度対向して２つ設けられ（全部で４つの磁気ヘッドとなる）、同図に示す構成が４つ存在するものとする。
【００１１】
図６において、１は入力されるクロックから５分周クロックを生成し、これを出力する５分周回路、２は図示しない回転ドラムの回転位相に同期したパルスに基づき生成されるヘッドスイッチパルスと記録データとが入力され、５分周回路からの５分周クロックに基づき例えば２４−２５変換等の処理を行うデータ処理部である。
【００１２】
また、３はデータ処理部２での処理を終えた記録データがパラレル入力され、クロックに基づきこれをシリアル出力するパラレルシリアル変換部である。そしてパラレルシリアル変換部３から出力される記録データが磁気ヘッドを介して磁気テープに記録される。
【００１３】
【発明が解決しようとする課題】
ところが以上のような構成のディジタル信号記録装置では、図７に示すようにヘッドスイッチパルスの切り替わりタイミングから実際の信号記録の開始タイミングまでの時間が一定とならず、また、＋アジマスヘッドによる信号記録の開始タイミングから−アジマスヘッドによる信号記録の開始タイミングまでの時間が一定とならないため、正確なトラッキング制御を行うことができないという問題があった。
【００１４】
つまり、図６に示すデータ処理部１には、ヘッドスイッチパルスと記録データとが入力され、クロックより生成された５分周クロックで記録データを処理し、クロックに基づきパラレルシリアル変換部３が記録データをシリアル出力するが、データ処理部２での処理が５分周クロックによる処理であるため、この５分周期クロックのパルス間隔の範囲内で信号記録の開始タイミングがずれてしまう可能性がある。
【００１５】
また、ここでは、図示していないが＋アジマスヘッドのヘッドスイッチパルスの切り替わりタイミングと−アジマスヘッドのスイッチパルスの切り替わりタイミングは、夫々５分周クロックのパルスと非同期であるため、＋アジマスヘッドにより信号記録を開始してから−アジマスヘッドにより信号記録を開始するまでの時間が一定とならない。
【0016】
【課題を解決するための手段】
以上の課題を解決するために、本発明に係るディジタル信号記録装置は、
回転ドラム上に隣接して配置される第１及び第２の磁気ヘッドを用いて、磁気テープ上に第１及び第２の傾斜トラックを同時に形成しながらディジタルデータを記録するディジタル信号記録装置であり、
前記ディジタルデータを記録するための記録クロックからｎ分周したｎ分周クロックを生成するｎ分周クロック出力手段と、
前記回転ドラムの回転位相に同期したパルスと、記録データと、前記ｎ分周クロック出力手段からのｎ分周クロックとが入力され、前記記録データを前記ｎ分周クロックで信号処理して出力するデータ処理手段と、
前記回転ドラムの回転位相に同期したパルスと前記ｎ分周クロックとが入力され、前記パルスの入力タイミングと前記ｎ分周クロックの切り替わりタイミングとのタイミング差に応じた遅延量を決定して出力する遅延量決定手段と、
前記遅延量決定手段で決定した前記遅延量に応じた遅延を前記記録データに施す遅延手段とを備える記録系回路を前記第１及び第２の磁気ヘッドに対して夫々設け、
前記記録クロック及び前記ｎ分周クロックは前記第１及び第２の磁気ヘッド夫々の記録系回路で共用され、
前記夫々の記録系回路の前記遅延手段の出力する記録データを、前記第１及び第２のトラックが互いに異なるアジマスとなるよう前記第１及び第２の磁気ヘッドを用いて前記第１及び第２のトラックを同時に形成しながら記録することを特徴とするものである。
【００１７】
また、上記の構成に加え、前記遅延量決定手段は、前記回転ドラムの回転位相に同期したパルスのタイミングから前記第１の磁気ヘッドによる記録開始タイミングまでの第１の時間と、前記回転ドラムの回転位相に同期したパルスのタイミングから前記第２の磁気ヘッドによる記録開始タイミングまでの第２の時間とが、前記記録クロックの１クロックに相当する時間を誤差分として夫々一定となるよう前記遅延量を決定することを特徴とするものである。
【００１８】
【発明の実施の形態】
図１は本発明に係るディジタル信号記録装置を説明するため図であり、図６で示した従来のディジタル信号記録装置と同一の構成部分に関しては、同一の符号を付してある。なお、本実施例に係るディジタル信号記録装置では、隣接する２つの磁気ヘッドにより構成されるペアヘッドが回転ドラム上に略１８０度対向して１つずつ配置され、図１には全部で４つ搭載される磁気ヘッドのうちの１つの磁気ヘッドの記録系のみを示してある。
【００１９】
同図において、１は入力されるクロックから５分周クロックを生成し、これを出力する５分周回路、２は図示しない回転ドラムの回転位相に同期したパルスに基づき生成されるヘッドスイッチパルスと記録データとが入力され、５分周回路からの５分周クロックに基づき例えば２４−２５変換等の処理を行うデータ処理部である。また、３はデータ処理部２での処理を終えた記録データがパラレル入力され、クロックに基づきこれをシリアル出力するパラレルシリアル変換部である。
【００２０】
そして、４は回転ドラムの回転位相に同期したパルスに基づき生成されるヘッドスイッチパルスとクロックと５分周回路からの５分周クロックとが入力され、ディレイ補正回路５におけるディレイ補正量を決定してこれをディレイ補正回路５に出力するディレイ補正量決定回路である。
【００２１】
また、５はパラレルシリアル変換部３が出力する記録データとディレイ補正量決定回路４からのディレイ補正量の情報とクロックとが入力され、ディレイ補正量決定回路４からのディレイ補正量の情報に基づき記録データを遅延させて、これを磁気ヘッドに出力するディレイ補正回路である。
【００２２】
図２は、ディレイ補正量決定回路４及びディレイ補正回路５での動作を説明するための図であり、同図（ａ）が５分周回路１、パラレルシリアル変換部３、ディレイ補正量決定回路４、ディレイ補正回路５の夫々に入力されるクロック、同図（ｂ）が５分周回路１の出力する５分周クロック、同図（ｄ）がデータ処理部２及び補正量決定回路４の夫々に入力されるヘッドスイッチパルスを示している。
【００２３】
また、同図（ｃ）はディレイ補正量決定回路４の内部カウンタの動作を示しており、０を初期値として入力されるクロックのタイミングでインクリメントされ、５分周クロックの立下りエッジで初期値０にリセットされる。
【００２４】
そして、ディレイ補正量決定回路４は、ヘッドスイッチパルスが切り替わるタイミングの次のクロックの立上がりタイミングでＨとなる同図（ｅ）に示す如くヘッドスイッチパルスのエッジ検出信号を内部で生成し、その次のクロックの立ち上がりタイミングでカウンタのカウント値をディレイ補正量情報としてディレイ補正回路５に出力する。
【００２５】
図２に示す例では、カウンタのカウント値が１のタイミングでヘッドスイッチパルスのエッジ検出信号がＨとなり、ディレイ補正量決定回路４は２のカウント値をディレイ補正量情報としてディレイ補正回路５に出力している。そして、ディレイ補正回路５は、パラレルシリアル変換部３からの同図（ｇ）に示す如く出力を（ｈ）のように２クロック分遅らせて出力する。
【００２６】
従来のディジタル信号記録装置では、例えば同図（ｄ）のヘッドスイッチパルスが多少前後した場合でも、磁気テープ上に記録するパラレルシリアル変換部３の出力はこれとは無関係の５分周クロックのタイミングとなるため、ヘッドスイッチパルスの切り替わりタイミングから信号記録の開始タイミングまでの時間を一定とすることができなかった。
【００２７】
これに対し、本発明に係るディジタル信号記録装置では、パラレルシリアル変換部３の出力にヘッドスイッチパルスのタイミングに応じた遅延量を付加した後にこれを磁気テープ上に記録するため、ヘッドスイッチパルスの切り替わりタイミングから信号記録の開始タイミングまでの時間をほぼ一定とすることができる。
【００２８】
即ち、ディレイ補正量決定回路４は、ヘッドスイッチパルスが入力されるタイミングでカウンタ値が０である場合にはディレイ補正量を２と決定し、カウンタ値が１である場合にはディレイ補正量を３、カウンタ値が２である場合にはディレイ補正量を４、カウンタ値が３である場合にはディレイ補正量を０、カウンタ値が４である場合にはディレイ補正量を１と決定するため、ヘッドスイッチパルスの切り替わりタイミングから信号記録のタイミングまでの時間をほぼ一定とすることができる。
【００２９】
また、図３はディレイ補正回路５の構成の一例を示す図であり、５ａ乃至５ｄは記録データを成す入力シリアルデータを入力クロックにおける１クロック分ずつ遅延して出力するシフトレジスタ、５ｅはパラレルシリアル変換部３からのシリアルデータと各シフトレジスタ５ａ乃至５ｄの出力をディレイ補正量決定回路４からディレイ補正量情報に基づき切り替えて出力するセレクタである。
【００３０】
以上のような構成にて、ディレイ補正量決定回路４からのディレイ補正量が０である場合には、パラレルシリアル変換部３からのシリアルデータが選択出力され、ディレイ補正量が１である場合には、シフトレジスタ５ａからのシリアルデータが選択出力され、ディレイ補正量が２である場合には、シフトレジスタ５ｂからのシリアルデータが選択出力され、ディレイ補正量が３である場合には、シフトレジスタ５ｃからのシリアルデータが選択出力され、ディレイ補正量が４である場合には、シフトレジスタ５ｄからのシリアルデータが選択出力される。
【００３１】
また、前述の如く本実施例に係るディジタル信号記録装置では、回転ドラム上に４つの磁気ヘッドが搭載されるが、各記録系においてヘッドスイッチパルスの切り替わりタイミングから信号記録の開始タイミングまでの時間をほぼ一定とすることができるため、ペアヘッドを成す＋アジマスヘッドと−アジマスヘッドとの間で、＋アジマスヘッドによる信号記録の開始タイミングから−アジマスヘッドによる信号記録の開始タイミングまでの時間をほぼ一定にすることができる。
【００３２】
なお、このように回転ドラム上に４つの磁気ヘッドが搭載され、図１に示す記録系の構成が４つ存在する場合でも、図２（ａ）に示すクロックと図２（ｂ）に示す５分周クロックとは各記録系で共用される。また、回転位相に同期したパルスから＋アジマスヘッド及び−アジマスヘッドのヘッドスイッチパルスが生成されるが、回転ドラム上に略１８０度対向して設けられる同アジマスの磁気ヘッド間では、回転位相に同期したパルスのタイミングからヘッドスイッチパルスの切り替わりタイミングまでが一定の時間に設定され、回転ドラム上に隣接して設けられる異なるアジマスの磁気ヘッド間では、回転位相に同期したパルスのタイミングからヘッドスイッチパルスの切り替わりタイミングまでが図７に示す如く異なる時間に設定されている。
【００３３】
以上のように本発明に係るディジタル信号記録装置では、データ処理部２における記録データの処理として分周クロックを用いる場合であっても、ヘッドスイッチパルスの切り替わりタイミングから信号記録の開始タイミングまでの時間の誤差精度を１分周クロックの範囲内でなく１クロックの範囲内まで抑えることができるため、ディジタル信号記録系で利用されることの多い２４−２５変換等の処理を行う場合には、特に効果的である。
【００３４】
また、本発明に係るディジタル信号記録装置は、２４−２５変換等、５分周クロックを使用する場合のみならず、記録クロックよりもパルス間隔の大きな他の分周クロックを用いる記録装置に同様に適用できることは言うまでもない。
【００３５】
【発明の効果】
本発明に係るディジタル信号記録装置によれば、回転ドラム上に隣接して設けられる異なるアジマスを有する第１及び第２の磁気ヘッドを用いて第１及び第２のトラックを同時に形成しながらディジタルデータを記録する際に、第１の磁気ヘッドによる記録開始タイミングから第２の磁気ヘッドによる記録開始タイミングまでをほぼ一定の時間とすることができるため、第１及び第２のトラックにおける基準信号の再生タイミングの差に基づきトラック制御を行う再生装置にて正確なトラッキング制御を行うことができるという効果を奏する。
【図面の簡単な説明】
【図１】本発明に係るディジタル信号記録装置を説明するための図である。
【図２】ディレイ補正量決定回路及びディレイ補正回路の動作を説明するための図である。
【図３】ディレイ補正回路の構成の一例を示す図である。
【図４】基準信号の再生タイミングの差に基づくトラッキング制御の原理を説明するための図である。
【図５】隣接トラックのトラック形成タイミングにずれが生じている場合の例を示す図である。
【図６】従来のディジタル信号記録装置を説明するための図である。
【図７】信号記録開始タイミングの変動を説明するための図である。
【符号の説明】
１…５分周回路
２…データ処理部
３…パラレルシリアル変換部
４…ディレイ補正量決定回路
５…ディレイ補正回路
５ａ乃至５ｄ…シフトレジスタ
５ｅ…セレクタ
【図１】
0003775145.tif 000002
【図２】
0003775145.tif 000003
【図３】
0003775145.tif 000004
【図４】
0003775145.tif 000005
【図５】
0003775145.tif 000006
【図６】
0003775145.tif 000007
【図７】
0003775145.tif 000008